(57)【要約】【課題】  汎用のノンカーボン複写紙に対して各種帳票フォームに応じて複写不可部分を好適に形成することができる印刷制御方法及びそのプログラムを提供する。【解決手段】  裏面に発色剤が塗布された１枚目のノンカーボン紙と、表面に顕色剤が塗布された２枚目のノンカーボン紙とを発色剤塗布面と顕色剤塗布面とが接触するようにして使用するノンカーボン複写紙に帳票フォームを印刷するに際して、１枚目のノンカーボン紙からの複写を禁止する複写禁止領域を２枚目のノンカーボン紙の表面側に設定し、当該複写禁止領域に印刷装置に蓄積されている減感剤を含むトナーを塗布する。【選択図】  図３
2010156873.tif 000002
【特許請求の範囲】
【請求項１】
コンピュータと印刷装置が通信可能に構成された印刷システムの制御方法において、
少なくとも片面に発色剤が塗布された第１のノンカーボン紙と、少なくとも片面に顕色剤が塗布された第２のノンカーボン紙とを前記発色剤が塗布された面と前記顕色剤が塗布された面とが接触するようにして使用するノンカーボン複写紙に帳票を印刷する印刷システムの制御方法であって、
前記印刷装置は前記減感剤を含む減感トナーを蓄積する減感トナー蓄積手段を備えており、
前記コンピュータが前記第１のノンカーボン紙の表面と前記第２のノンカーボン紙との表面に印刷する帳票データを記憶する記憶工程と、
前記コンピュータが前記第１のノンカーボン紙からの複写を禁止する所望の禁止領域を、前記帳票データの前記所望のページの前記第２のノンカーボン紙の前記顕色剤が塗布された面側に設定する設定工程と、
前記コンピュータから受信した前記帳票データを用いて、前記印刷装置が前記第１のノンカーボン紙に帳票を印刷する第１の印刷工程と、
前記コンピュータから受信した前記帳票データを用いて、前記印刷装置が前記第２のノンカーボン紙に前記顕色剤が塗布された面上に帳票を印刷すると共に前記所望のページに設定された前記複写禁止領域に前記減感トナーを塗布する第２の印刷工程とを有することを特徴とする印刷システムの制御方法。
【請求項２】
前記塗布工程において塗布する減感トナーはクリアトナーであることを特徴とする請求項１記載の印刷システムの制御方法。
【請求項３】
前記して使用するノンカーボン用紙は前記第２のノンカーボン紙を複数枚使用し、
前記設定工程は、前記複写禁止領域を前記複数の第２のノンカーボン紙に共通して設定する共通設定と、前記複写禁止領域を前記複数の第２のノンカーボン紙に個別に設定する個別設定とを含むことを特徴とする請求項１又は２に記載の制御方法。
【請求項４】
コンピュータと印刷装置が通信可能に構成された印刷システムの制御方法であって、
少なくとも片面に顕色剤が塗布された第１のノンカーボン紙と、少なくとも片面に発色剤が塗布された第２のノンカーボン紙とを前記顕色剤が塗布された面と前記発色剤が塗布された面とが接触するようにして使用するノンカーボン複写紙に帳票を印刷する印刷システムの制御方法であって、
前記印刷装置は前記減感剤を含む減感トナーを蓄積する減感トナー蓄積手段を備えており、
前記コンピュータが前記第１のノンカーボン紙の表面と前記第２のノンカーボン紙との表面に印刷する帳票データを記憶する記憶工程と、
前記コンピュータが前記第１のノンカーボン紙からの複写を禁止する所望の禁止領域を、前記帳票データの前記所望のページの前記第２のノンカーボン紙の前記発色剤が塗布された面側に設定する設定工程と、
前記コンピュータから受信した前記帳票データを用いて、前記印刷装置が前記第１のノンカーボン紙に帳票を印刷する第１の印刷工程と、
前記コンピュータから受信した前記帳票データを用いて、前記印刷装置が前記第２のノンカーボン紙に前記発色剤が塗布された面上に帳票を印刷すると共に前記所望のページに設定された前記複写禁止領域に前記減感トナーを塗布する第２の印刷工程とを有することを特徴とする印刷システムの制御方法。
【請求項５】
前記塗布工程において塗布する減感トナーはクリアトナーであることを特徴とする請求項４記載の印刷システムの制御方法。
【請求項６】
前記して使用するノンカーボン用紙は前記第２のノンカーボン紙を複数枚使用し、
前記設定工程は、前記複写禁止領域を前記複数の第２のノンカーボン紙に共通して設定する共通設定と、前記複写禁止領域を前記複数の第２のノンカーボン紙に個別に設定する個別設定とを含むことを特徴とする請求項４又は５に記載の制御方法。
【請求項７】
コンピュータと印刷装置が通信可能に構成された印刷システムにおいて、
少なくとも片面に発色剤が塗布された第１のノンカーボン紙と、少なくとも片面に顕色剤が塗布された第２のノンカーボン紙とを前記発色剤が塗布された面と前記顕色剤が塗布された面とが接触するようにして使用するノンカーボン複写紙に帳票を印刷する印刷システムの制御プログラムであって、
前記コンピュータを、
前記第１のノンカーボン紙の表面と前記第２のノンカーボン紙との表面に印刷する帳票データを記憶する記憶手段と、
前記第１のノンカーボン紙からの複写を禁止する所望の禁止領域を、前記所望のページの前記第２のノンカーボン紙の前記顕色剤が塗布された面側に設定する設定手段と、
前記印刷装置が前記第１のノンカーボン紙に帳票を印刷するための前記帳票データを前記印刷装置に送信する第１の印刷指示手段と、
前記印刷装置が前記第２のノンカーボン紙の前記顕色剤が塗布された面上に帳票を印刷するための前記帳票データと前記所望のページに設定された前記複写禁止領域に前記減感トナーを塗布するための前記帳票データとを前記印刷装置に送信する第２の印刷指示手段として機能させるための印刷システムの制御プログラム。
【請求項８】
コンピュータと印刷装置が通信可能に構成された印刷システムにおいて、
少なくとも片面に顕色剤が塗布された第１のノンカーボン紙と、少なくとも片面に発色剤が塗布された第２のノンカーボン紙とを前記発色剤が塗布された面と前記顕色剤が塗布された面とが接触するようにして使用するノンカーボン複写紙に帳票を印刷する印刷システムの制御プログラムであって、
前記コンピュータを、
前記第１のノンカーボン紙の表面と前記第２のノンカーボン紙との表面に印刷する帳票データを記憶する記憶手段と、
前記第１のノンカーボン紙からの複写を禁止する所望の禁止領域を、前記所望のページの前記第２のノンカーボン紙の前記発色剤が塗布された面側に設定する設定手段と、
前記印刷装置が前記第１のノンカーボン紙に帳票を印刷するための前記帳票データを前記印刷装置に送信する第１の印刷指示手段と、
前記印刷装置が前記第２のノンカーボン紙の前記発色剤が塗布された面上に帳票を印刷するための前記帳票データと、前記所望のページに設定された前記複写禁止領域に前記減感トナーを塗布するための前記帳票データとを前記印刷装置に送信する第２の印刷指示手段として機能させるための印刷システムの制御プログラム。
【発明の詳細な説明】
【技術分野】
【０００１】
本発明は、本発明は、複写伝票等に利用されるノンカーボン複写紙に帳票フォームを印刷する印刷システムの制御方法及びそのプログラムに関する。特に複写紙の発色を抑制したい部分に減感剤を含むトナーを塗布することにより所望の領域の発色を抑制することができる印刷システムの制御方法及びそのプログラムに関する。
【背景技術】
【０００２】
特許文献１では、感圧複写上用紙２と、同中用紙３と、同下用紙４から、任意に複数の用紙を選択し、これらを重ね合わせた構成を有する感圧複写帳票１であって、前記下用紙４あるいは中用紙３の表面における複写不要部分に減感インキを塗布し、一方、前記上用紙２あるいは前記中用紙３の裏面において、印字・筆記時に、前記複写不要部分に対接する発色剤カプセル塗布部に、前記発色剤カプセル塗布部を被覆する減感インキまたはＯＰワニスからなる被覆層を設けた感圧複写帳票が開示されている。このような減感剤付きのノーカーボン複写用紙をプレプリント用紙として製造する場合は、減感剤を塗る工程と、帳票枠を印刷する工程とを通常別工程で実現している。
【０００３】
又、特許文献２では、汎用のノンカーボン複写紙に対して各種帳票フォームに応じて複写不可部分を好適に形成することができる印刷装置及びその制御方法並びにプログラムを提供することを課題とし、裏面に発色剤が塗布された１枚目のノンカーボン紙と、表面に顕色剤が塗布された２枚目のノンカーボン紙とを発色剤塗布面と顕色剤塗布面とが接触するようにして使用するノンカーボン複写紙に帳票フォームを印刷するに際して、１枚目のノンカーボン紙からの複写を禁止する複写禁止領域を２枚目のノンカーボン紙の表面側に設定し、それと面対称を成す領域を１枚目のノンカーボン紙の裏面側に設定し、当該領域に印刷装置に蓄積されているトナーを塗布することができる印刷制御方法及びプログラムが開示されている。
【特許文献１】特開平０７−２５７０７２号公報
【特許文献２】特開２００６−１８５３５８号公報
【発明の開示】
【発明が解決しようとする課題】
【０００４】
上記特許文献１記載の技術は、単に減感剤が塗布されたノンカーボン紙を開示するものであり、プリンタの印刷処理プロセス中に、減感剤を塗布するものではなく、プレプリント用紙を用いる場合は発注から納入までのリードタイムが長い（通常１ヶ月以上）という問題があった。
【０００５】
又上記特許文献２記載の技術では、印刷処理プロセス中にオンデマンドでトナーを塗布することができるものの、汎用のトナーを発色防止に使用しているので、強い筆圧により、トナーを通して僅かながら発色剤と顕色剤が混合することがあった。特にボールペン等を用い強めの筆圧でノンカーボン帳票に文字を記入した場合僅かに発色する場合があった。又、記入面の所望の複写禁止箇所表側にもトナーを塗布するので、帳票の見栄えが良くないという課題もあった。
【０００６】
本願発明は上記の各課題を解決するためになされたものであり、オンデマンドで所望の複写禁止箇所に減感剤を含む透明トナーを塗布することで、帳票の見栄えを保ちつつ効果的に複写禁止箇所の発色を防止することができる印刷制御方法及びそのプログラムを提供することを目的とする。
【課題を解決するための手段】
【０００７】
上記課題を解決するために、本発明の印刷制御システムの制御方法は、コンピュータと印刷装置が通信可能に構成された印刷システムの制御方法において、少なくとも片面に発色剤が塗布された第１のノンカーボン紙と、少なくとも片面に顕色剤が塗布された第２のノンカーボン紙とを前記発色剤が塗布された面と前記顕色剤が塗布された面とが接触するようにして使用するノンカーボン複写紙に帳票を印刷する印刷システムの制御方法であって、前記印刷装置は前記減感剤を含む減感トナーを蓄積する減感トナー蓄積手段を備えており、前記コンピュータが前記第１のノンカーボン紙の表面と前記第２のノンカーボン紙との表面に印刷する帳票データを記憶する記憶工程と、前記コンピュータが前記第１のノンカーボン紙からの複写を禁止する所望の禁止領域を、前記帳票データの前記所望のページの前記第２のノンカーボン紙の前記顕色剤が塗布された面側に設定する設定工程と、前記コンピュータから受信した前記帳票データを用いて、前記印刷装置が前記第１のノンカーボン紙に帳票を印刷する第１の印刷工程と、  前記コンピュータから受信した前記帳票データを用いて、前記印刷装置が前記第２のノンカーボン紙に前記顕色剤が塗布された面上に帳票を印刷すると共に前記所望のページに設定された前記複写禁止領域に前記減感トナーを塗布する第２の印刷工程とを有することを特徴とする。
【０００８】
上記課題を解決するために、本発明の印刷制御システムの制御方法は、コンピュータと印刷装置が通信可能に構成された印刷システムの制御方法であって、少なくとも片面に顕色剤が塗布された第１のノンカーボン紙と、少なくとも片面に発色剤が塗布された第２のノンカーボン紙とを前記顕色剤が塗布された面と前記発色剤が塗布された面とが接触するようにして使用するノンカーボン複写紙に帳票を印刷する印刷システムの制御方法であって、前記印刷装置は前記減感剤を含む減感トナーを蓄積する減感トナー蓄積手段を備えており、前記コンピュータが前記第１のノンカーボン紙の表面と前記第２のノンカーボン紙との表面に印刷する帳票データを記憶する記憶工程と、前記コンピュータが前記第１のノンカーボン紙からの複写を禁止する所望の禁止領域を、前記帳票データの前記所望のページの前記第２のノンカーボン紙の前記発色剤が塗布された面側に設定する設定工程と、前記コンピュータから受信した前記帳票データを用いて、前記印刷装置が前記第１のノンカーボン紙に帳票を印刷する第１の印刷工程と、前記コンピュータから受信した前記帳票データを用いて、前記印刷装置が前記第２のノンカーボン紙に前記発色剤が塗布された面上に帳票を印刷すると共に前記所望のページに設定された前記複写禁止領域に前記減感トナーを塗布する第２の印刷工程とを有することを特徴とする。
【０００９】
上記課題を解決するために、本発明の印刷制御システムの制御プログラムは、コンピュータと印刷装置が通信可能に構成された印刷システムにおいて、少なくとも片面に発色剤が塗布された第１のノンカーボン紙と、少なくとも片面に顕色剤が塗布された第２のノンカーボン紙とを前記発色剤が塗布された面と前記顕色剤が塗布された面とが接触するようにして使用するノンカーボン複写紙に帳票を印刷する印刷システムの制御プログラムであって、前記コンピュータを、前記第１のノンカーボン紙の表面と前記第２のノンカーボン紙との表面に印刷する帳票データを記憶する記憶手段と、前記第１のノンカーボン紙からの複写を禁止する所望の禁止領域を、前記所望のページの前記第２のノンカーボン紙の前記顕色剤が塗布された面側に設定する設定手段と、前記印刷装置が前記第１のノンカーボン紙に帳票を印刷するための前記帳票データを前記印刷装置に送信する第１の印刷指示手段と、前記印刷装置が前記第２のノンカーボン紙の前記顕色剤が塗布された面上に帳票を印刷するための前記帳票データと前記所望のページに設定された前記複写禁止領域に前記減感トナーを塗布するための前記帳票データとを前記印刷装置に送信する第２の印刷指示手段として機能させることを特徴とする。
【００１０】
上記課題を解決するために、本発明の印刷制御システムの制御プログラムは、コンピュータと印刷装置が通信可能に構成された印刷システムにおいて、少なくとも片面に顕色剤が塗布された第１のノンカーボン紙と、少なくとも片面に発色剤が塗布された第２のノンカーボン紙とを前記発色剤が塗布された面と前記顕色剤が塗布された面とが接触するようにして使用するノンカーボン複写紙に帳票を印刷する印刷システムの制御プログラムであって、前記コンピュータを、前記第１のノンカーボン紙の表面と前記第２のノンカーボン紙との表面に印刷する帳票データを記憶する記憶手段と、前記第１のノンカーボン紙からの複写を禁止する所望の禁止領域を、前記所望のページの前記第２のノンカーボン紙の前記発色剤が塗布された面側に設定する設定手段と、前記印刷装置が前記第１のノンカーボン紙に帳票を印刷するための前記帳票データを前記印刷装置に送信する第１の印刷指示手段と、前記印刷装置が前記第２のノンカーボン紙の前記発色剤が塗布された面上に帳票を印刷するための前記帳票データと、前記所望のページに設定された前記複写禁止領域に前記減感トナーを塗布するための前記帳票データとを前記印刷装置に送信する第２の印刷指示手段として機能させる。
【発明の効果】
【００１１】
本発明によれば、汎用のノンカーボン複写紙に対して各種帳票フォームに応じてオンデマンドで所望の複写不可部分を好適に印刷することができ、この複写不可部分を強い筆圧で記入した場合でも発色を防止することができる。
【発明を実施するための最良の形態】
【００１２】
以下図面を参照しながら本発明の実施形態を詳細に説明する。
[実施例１]
図１は、本発明の実施の形態における印刷システムのシステム構成を示す図である。情報処理装置２００は通信回線１００を介して印刷装置３００と通信可能に構成されている。情報処理装置２００のハードディスクには各種のテーブルや印刷フォームが記憶されており、情報処理装置２００から通信回線１００を介して印刷装置３００に印刷データを送信し、印刷装置３００がノンカーボン用紙を用いて複数ページからなる帳票を印刷する。
【００１３】
次に図２は、情報処理装置２００のハードウェアの概略構成を示す概略構成図である。ＣＰＵ２０１は、システムバス２０４に接続される各デバイスやコントローラを統括的に制御する。また、ＲＯＭ２０２あるいは外部メモリ２０９には、ＣＰＵ２０１の制御プログラムであるＢＩＯＳ(Basic Input / Output System)やオペレーティングシステムプログラム（以下、ＯＳ）や、印刷管理サーバ２００を実行する機能を実現するために必要な後述する各種プログラム等が記憶されている。
【００１４】
ＲＡＭ２０３は、ＣＰＵ２０１の主メモリ、ワークエリア等として機能する。ＣＰＵ２０１は、処理の実行に際して必要なプログラム等をＲＡＭ２０３にロードして、プログラムを実行することで各種動作を実現するものである。また、入力コントローラ２０５は、キーボード（ＫＢ）２０９や不図示のマウス等のポインティングデバイスからの入力を制御する。ビデオコントローラ２０６は、ＣＲＴディスプレイ（ＣＲＴ）２１０等の表示器への表示を制御する。表示器はＣＲＴだけでなく、液晶ディスプレイでも構わない。
【００１５】
メモリコントローラ２０７は、ブートプログラム、ブラウザソフトウエア、各種のアプリケーション、フォントデータ、ユーザファイル、編集ファイル、各種データ等を記憶するハードディスク（ＨＤ）やフロッピー（登録商標）ディスク（ＦＤ）或いはＰＣＭＣＩＡカードスロットにアダプタを介して接続されるコンパクトフラッシュ（登録商標）メモリ等の外部メモリ２１１へのアクセスを制御する。通信Ｉ／Ｆコントローラ２０８は、ネットワークを介して、外部機器と接続・通信するものであり、ネットワークでの通信制御処理を実行する。例えば、ＴＣＰ／ＩＰを用いたネットワーク通信等が可能である。
【００１６】
外部メモリ２１１のハードディスクはオペレーションシステムオペレーティングシステムや図６〜図９のフローチャートで示されるアプリケーションプログラムや図１０と図１１に示す各画面を情報処理装置２００のディスプレイに表示させるためのアプリケーションプログラムの一部としての画面情報や、図１２に示す帳票テーブルや図１３に示す複写禁止指定テーブル等の各データベースやテーブル、マスタファイルを記憶している。情報処理装置２００では外部メモリ２１１のハードディスクの代わりにＲＡＭ２０３と兼用の不揮発性メモリを用いても良い。
【００１７】
なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００１８】
次に図３は印刷装置３００のハードウェア構成を示す図である。印刷装置３００は、情報処理装置２００により生成された印刷データの印刷出力処理の他にスキャナやＦＡＸ送受信機能を備えた複合機であり、情報処理装置２００からのコマンドに応じて強制排紙や両面印刷する機能を有している。印刷装置３００は、ＣＰＵ３０１により制御される。プリンタＣＰＵ３０１は、ＲＯＭ３０３のプログラム用ＲＯＭに記憶された制御プログラム等ハードディスク３０４に記憶された制御プログラム等に基づいてシステムバス３０９に接続されるプリンタＩ／Ｆ３１１を介してプリンタ部３１２に出力情報としての画像信号を出力する。また、このＲＯＭ３０３のプログラムＲＯＭには、ＣＰＵ３０１の制御プログラム等を記憶する。ＲＯＭ３０３のフォント用ＲＯＭには上記出力情報を生成する際に使用するフォントデータ等が記憶されている。
【００１９】
ＣＰＵ３０１は操作部Ｎｅｔｗｏｒｋインタフェース３０５を介してホストコンピュータとの通信処理が可能となっており、印刷装置３００内の情報等を情報処理装置２００に通知できる。ＲＡＭ３０２は、ＣＰＵ３０１の主メモリや、ワークエリア等として機能するＲＡＭで、図示しない増設ポートに接続されるオプションＲＡＭによりメモリ容量を拡張することができるように構成されている。なお、ＲＡＭ３０２は、出力情報展開領域、環境データ格納領域等に用いられる。前述したハードディスク３０４（ＨＤＤ）は、不図示のメモリコントローラ（ＭＣ）３２０によりアクセスを制御される。ハードディスク３０４はフォントデータ、エミュレーションプログラム、フォームデータ等を記憶する。
【００２０】
ＭＯＤＥＭ３０６は電話回線と接続してＦＡＸ画像の送受信を行なう。また、操作部３０８は、操作部Ｉ／Ｆ３０７を介してシステムバス３０９に接続され、操作及び表示のための液晶タッチパネルおよび各種操作ボタンや表示ランプ等で構成されている。ＲＩＰ３１０はＲａｓｔｅｒ  Ｉｍａｇｅ  Ｐｒｏｃｅｓｓｅｒの略称であり、ＩＭＡＧＥＢＵＳＩ／Ｆ３２０及びシステムバス３１５を介して受信したＰＤＬ（Ｐａｇｅ  Ｄｅｓｃｒｉｐｔｉｏｎ  Ｌａｎｇｕａｇｅ）を解釈して、文字・画像データをラスター・イメージに展開して、プリンタで出力させるためにビットマップを生成する処理を行う。画像処理部３１７はＩＭＡＧＥＢＵＳＩ／Ｆ３２０及びシステムバス３１５を介して受信したイメージデータやスキャナ部３１４で入力したイメージデータを、スキャナＩ／Ｆ３１３及びシステムバス３１５を介して受信し、このイメージデータ所望のフォーマットに変換する（例えばスキャナ部３１４で読込んだｊｐｅｇをＦＡＸ用のＴｉｆｆに変換する）等の画像処理を行う。
【００２１】
また、図示しないＮＶＲＡＭを有し、操作部３０８からのプリンタモード設定情報を記憶するようにしてもよい。また、本実施例のプリンタ３００は、プリンタ部３１２により画像形成される、つまりレーザが走査される処理に応じて、印刷枚数をカウントアップするカウンタを備えている。
【００２２】
次に図４は、本発明の印刷装置の印刷機構を示す概略説明図である。図４に示される印刷装置３００は、画像形成手段と加熱定着手段とを有してなり、該画像形成手段は、前記帯電器として、帯電器２７を、前記電子写真感光体として有機感光体１２を、前記画像露光器として照明２１を、カラースキャナ１、画像処理装置２、レーザー光源６及び光学系（ＲＯＳ）１１を、前記現像器としてイエロー現像器２９、マゼンタ現像器３０、シアン現像器３１、ブラック現像器３２、及び透明トナー現像器３６を、前記転写帯電器として前記有機感光体１２に対し転写ドラム３３を介して配置された転写コロトロン３５をそれぞれ有してなる。前記加熱定着手段は、定着装置として熱ロール定着器３７を有してなる。
【００２３】
図４に示す印刷装置を用いてカラー印刷する場合、図３のＩＭＡＧＥＢＵＳＩ／Ｆ３２０経由で受信したＰＤＬデータを図３のＲＩＰ３１０でラスタライズし、必要により図３の画像処理部３１７で画像処理して、色補正を施して得られる複数色の有色トナーの画像データと透明トナーの画像データを図３のプリンタＩ／Ｆ３１１経由で図３のプリンタ部３１２に送る。図３のプリンタ部で３１２では受信した画像データに基づき、色別に図４に示すレーザー光源６を用いて、変調されたレーザー光線とする。このレーザー光線を有機感光体１２に一色づつ複数回照射して複数個の静電潜像を形成する。これら複数個の静電潜像をイエロー、マゼンタ、シアン、ブラックの４色の有色トナー及び透明トナーを用い、これらを、イエロー現像器２９、マゼンタ現像器３０、シアン現像器３１、ブラック現像器３２、及び透明トナー現像器３６にて順に現像する。
【００２４】
そして、現像されたカラートナー画像を有機感光体１２上から用紙等の転写材３４上に転写コロトロン３５にて転写し、熱ロール定着器３７にて加熱定着してから転写材３４を外部に排出する。以上により、用紙等の転写材３４上にカラー画像及び透明トナー層が形成される。この透明トナー層を形成するための透明トナー用の静電潜像は、情報処理装置２００において帳票データの一部として複写禁止が設定された帳票ページの設定箇所（実施例では設定された矩形領域内）に形成される。
【００２５】
なお、図４に示す印刷装置を用いてカラーコピーをとる場合、まずコピーをとる原稿（図示せず）に照明２１を当て、その反射光をカラースキャナ１により色分解し、画像処理装置２で画像処理して、色補正を施して得られる複数色の有色トナーの画像データと透明トナーの画像データを色別にレーザー光源６を用いて、変調されたレーザー光線とする。以下はカラー印刷と同様なので説明は省略する。
【００２６】
次に図５以降の図面を参照しつつ本発明の実施例を説明する。図５は本発明の実施の形態における情報処理装置２００と印刷装置３００の主な機能を示すブロック図である。  情報処理装置２００と印刷装置３００は、少なくとも片面に発色剤が塗布された第１のノンカーボン紙と、少なくとも片面に顕色剤が塗布された第２のノンカーボン紙とを前記発色剤が塗布された面と前記顕色剤が塗布された面とが接触するようにして使用するノンカーボン複写紙に帳票を印刷する印刷システムを構成しており、情報処理装置２００は前記第１のノンカーボン紙の表面と前記第２のノンカーボン紙との表面に印刷する帳票データを記憶する記憶手段５３と、前記第１のノンカーボン紙からの複写を禁止する所望の禁止領域を、前記帳票データの前記所望のページの前記第２のノンカーボン紙の前記顕色剤が塗布された面側に帳票データの一部として設定する設定手段５４を備えている。
【００２７】
更に情報処理装置２００はユーザが図２のキーボード２０９や不図示のマウスから入力した印刷要求に応じて記憶手段５３に記憶している帳票データと印刷要求に応じた印刷データとを印刷装置３００に帳票を印刷させるべく指示する第１の印刷指示手段５１と、帳票データと印刷要求に応じた印刷データと前記設定手段５４で設定された複写禁止領域の情報とを用いて印刷装置３００に帳票を印刷させるべく指示する第２の印刷指示手段５２を備えており、これらの指示は受信手段／送信手段５５を介して印刷装置３００に送信される。
【００２８】
他方、印刷装置３００は、情報処理装置２００から印刷データを受信するための受信手段５８と、前記減感剤を含む減感トナーを蓄積する減感トナー蓄積手段５９と、前記コンピュータから受信した前記帳票データと印刷データとを用いて、前記印刷装置３００が前記第１のノンカーボン紙に帳票を印刷する第１の印刷手段５６と、情報処理装置２００から受信した前記帳票データと印刷データとを用いて、前記印刷装置が前記第２のノンカーボン紙に前記顕色剤が塗布された面上に帳票を印刷すると共に前記所望のページに設定された前記複写禁止領域に前記減感トナーを塗布する第２の印刷手段５７とを有している。
【００２９】
次に、情報処理装置２００と印刷装置３００とから構成される印刷システムにおける帳票作成処理の具体例について詳細に説明する。図５は、本発明の一実施形態に係る印刷システムにおける帳票作成処理の詳細を説明するためのフローチャートである。図５においてはＣＰＵ２０１がステップＳ５０１乃至ステップＳ５１６の処理を制御する。まず、ステップＳ５０１では、情報処理装置２００では帳票印刷プログラムを起動し、帳票作成のためのメニュー及び特定の帳票フォームを不図示の画面で選択する（具体的には帳票名や帳票番号で特定の帳票を指定して外部メモリ２１１にある帳票テーブルを検索して選択する）。このように本発明の帳票印刷プログラムは帳票の作成（定義や設定）と帳票の印刷を行うことができる。情報処理装置２００は、その選択に基づいて外部メモリ２１１から帳票データを読み出して帳票レイアウトワークデータとしてＲＡＭ２０３のワークエリアに記憶し、読み出した帳票データを用いて帳票レイアウトをモニタ上に表示し、処理をステップＳ５０２に進める。
【００３０】
ステップＳ５０２では、ユーザは、情報処理装置２００のモニタ上に表示された帳票レイアウトの編集操作を行い、ＣＰＵ２０１はユーザの操作を判定し判定した操作をＲＡＭ２０３のワークエリアに記憶し、処理をステップＳ５０３に進める。ステップＳ５０３では、ＲＡＭ２０３のワークエリアを参照して、ユーザの操作が編集操作の場合は処理をステップＳ５０４に進め、編集操作でない場合は処理をステップＳ５１３に進める。ステップＳ５１３以降の処理はステップＳ５１２までの説明が終わった後で別途説明する。
【００３１】
ステップＳ５０４では、ＲＡＭ２０３のワークエリアを参照して、ユーザの操作が文字編集（帳票上の見出し文字の修正等）であるかを判定し、ユーザの操作が文字編集の場合は処理をステップＳ５０５に進め、文字編集でない場合は処理をステップＳ５０６に進める。ステップＳ５０５では、追加や削除等の操作に応じて帳票文字データの設定を行ない、設定結果をＲＡＭ２０３のワークエリアに記憶して処理をステップＳ５１２に進める。ステップＳ５０６では、ＲＡＭ２０３のワークエリアを参照して、ユーザの操作が罫線の編集又はデータ項目編集であるかを判定し、ユーザの操作が罫線の編集又はデータ項目編集の場合は処理をステップＳ５０７に進め、罫線の編集又はデータ項目編集でない場合は処理をステップＳ５０８に進める。ここでのデータ項目編集とは帳票の所定の位置に定義したデータ用フィールドに所定のファイルやテーブルの所定のデータ項目を読み出して貼りつけるための定義を意味する。
【００３２】
ステップＳ５０７では、ＲＡＭ２０３のワークエリアを参照して、ユーザの操作に応じた罫線又はデータ項目の編集処理を行い、編集結果をＲＡＭ２０３のワークエリアに記憶して処理をステップＳ５１２に進める。ステップＳ５０８では、ＲＡＭ２０３のワークエリアを参照して、ユーザの操作が複写禁止領域の設定操作（不図示の編集メニューで「個別複写禁止領域設定」を選択する操作又は「共通複写禁止領域設定」を選択する操作）であるかを判定し、複写禁止領域の設定に関する操作であると判別した場合は処理をステップＳ５１０に進め、複写禁止領域の設定に関する操作でないと判別した場合は処理をステップＳ５０９に進める。
【００３３】
ステップＳ５０９では、ＲＡＭ２０３のワークエリアを参照して、ユーザの操作に応じたその他の編集処理（例えば画面の印刷ボタンを押下して図９に示す帳票の印刷処理を行ったり、編集メニューの選択操作に応じた編集画面の遷移処理）を実行して処理をステップＳ５１２に進める。ステップＳ５１０では、ＲＡＭ２０３のワークエリアを参照して、ユーザの操作に応じた複写禁止領域の設定処理（減感トナーの塗布領域設定処理）を実行する。具体的には帳票レイアウト画面の所望のページの所望の領域に複写禁止領域としての矩形を設定してＲＡＭ２０３のワークエリアに記憶する。その詳細は図８のフローチャート及び画面で説明する。設定処理後処理をステップＳ５１１に進める。
【００３４】
ステップＳ５１１では、帳票レイアウト表示を更新して、ステップＳ５１０で複写禁止が設定された領域を例えばグレーの矩形で表示し、処理をステップＳ５１２に進める。ステップＳ５１２では、ＲＡＭ２０３のワークエリアに記憶している帳票レイアウトワークデータを更新して処理をステップＳ５０１に戻す。以上でステップＳ５０１乃至ステップＳ５１２までの説明を終わる。次にステップＳ５０３でユーザの操作が編集操作でない場合のステップＳ５１３以降の処理を説明する。
【００３５】
ステップＳ５１１では、ＲＡＭ２０３のワークエリアを参照して、ユーザの操作が終了ボタンの押下かを判定する。終了ボタンの押下であると判別した場合は、ＲＡＭ２０３のワークエリアに記憶している帳票レイアウトワークデータと、図１３に示す複写禁止テーブルの内容及び図１２に示す帳票テーブルの内容及び図１２の帳票テーブルに項目定義ファイル名称が記憶されている項目定義ファイルの内容とを比較し、更新されている場合は、「帳票データが更新されています。保存しますか？」とのメッセージ及びＯＫボタンとキャンセルボタンを表示する不図示のダイアログを表示し、「ＯＫ」ボタンの押下を検知すると、帳票レイアウトワークデータの更新内容を用いて上記３つのテーブルの該当する項目を更新して処理を終了する。帳票レイアウトワークが更新されていない場合又は上記ダイアログで「キャンセル」ボタンの押下を検知した場合はそのまま処理を終了する。他方、終了ボタンの押下であると判別しなかった場合は、処理をステップＳ５１４に進める。
【００３６】
ステップＳ５１４では、ＲＡＭ２０３のワークエリアを参照して、ユーザの操作が保存ボタンの押下かを判定する。保存ボタンの押下であると判別した場合は、処理をステップＳ５１５に進め、保存ボタンの押下であると判別しなかった場合は、処理をステップＳ５０１に戻す。ステップＳ５１４では、ＲＡＭ２０３のワークエリアに記憶している帳票レイアウトワークデータの内容と、図１３に示す複写禁止テーブルの内容及び図１２に示す帳票テーブルの内容及び図１２の帳票テーブルに項目定義名が記憶されている項目定義ファイル（図１４）及び不図示のフォームテーブル（フォーム名称と罫線の始点座標、罫線の終点座標、線種、線の太さを記憶するテーブル）の内容とを比較し、各テーブルの更新されている項目を上書更新して処理をステップＳ５１６に進める。ステップＳ５１６では、「帳票データが更新されました」とのメッセージ及びＯＫボタンを表示する不図示のダイアログを表示し、「ＯＫ」ボタンの押下を検知すると、処理をステップＳ５０１に戻す。以上で図６のフローチャートの説明を終わる。
【００３７】
ここで図１２に示す帳票テーブル及び図１３に示す複写禁止指定テーブルと図１４に示す項目定義ファイルの内容について説明する。図１２に示す帳票テーブルは、帳票番号、帳票名称、フォーム名称、項目定義ファイル、ページ、用紙サイズ、用紙枚数を記憶している。帳票番号は帳票テーブルの一意のキー項目である。帳票名称は帳票の具体的名称を意味する。ページはこの帳票が何ページで１セットかを示すページ数である。用紙は帳票の印刷に使用する用紙サイズを示す（例えばＡ４等）。枚数はこの帳票の１セットで使用する枚数を記憶する。複数枚のノンカーボン用紙を片面印刷する場合はページ数と枚数は一致するが、両面印刷する場合は枚数はページ数の半分になる。
【００３８】
図１３に示す複写禁止指定テーブルは、フォーム名称（キー項目）と共通／個別区分、開始ページ、終了ページ、矩形座標（複写禁止領域の矩形の左上の（Ｘ座標、Ｙ座標）、複写禁止領域の矩形の右下の（Ｘ座標、Ｙ座標））を記憶している。区分の共通とは２ページ目以降の帳票の全ページで複写禁止であることを意味し、区分の個別とは帳票の特定のページ範囲で複写禁止であることを意味する。同一のフォーム内で同一又は一部が重なるページ範囲で異なる座標の複数の矩形領域を複写禁止にすることができる。
【００３９】
図１４に示す項目定義ファイルは外部メモリ２１１のハードディスクに記憶されている。この項目定義ファイルは項目定義名をキー項目として記憶している。１つの項目定義名には通常複数の帳票の具体的データ項目が定義されている。各データ項目はデータ項目を特定するための項目番号と、項目区分（見出し又はデータ）、項目名称、データ内容（項目区分が見出しの場合は見出しのテキスト、データの場合は参照するテーブルの名称と該テーブルのカラム名称及びデータ型と桁数、項目の表示位置を示す矩形の左上の（Ｘ座標、Ｙ座標）、項目の表示位置を示す矩形の右下の（Ｘ座標、Ｙ座標）、フォント設定（フォントの種類、サイズ（活字のポイント数）、フォント色、太文字属性）それぞれ記憶している。この他外部メモリ２１１は不図示のフォームテーブル（フォーム名称をキー項目とし、各罫線の開始点（Ｘ座標、Ｙ座標）と終了点（Ｘ座標、Ｙ座標）と線種（実線又は二重線又は点線）と線の太さ（ポイント数）とを記憶しているテーブル）も記憶している。
【００４０】
次に本発明の複写禁止領域設定処理の他の実施例について図７のフローチャートを用いて説明する。図６のフローチャートでは、情報処理装置２００の外部メモリ２１１内に各テーブルを記憶していたが、図７のフローチャートでは図１２乃至図１４の各テーブル及び不図示のフォームテーブルは印刷装置３００のハードディスク３０４に記憶されており、
情報処理装置２００は印刷装置３００にアクセスして各テーブルの設定を行なう点が図６と異なる。以下図６との相違点を中心に説明する。
【００４１】
図７のフローチャートでは、情報処理装置２００のＣＰＵ２０１がステップＳ６００乃至ステップＳ６０６の処理を制御し、印刷装置３００のＣＰＵ３０１がステップＳ６２０乃至ステップＳ６３７の処理を制御する。まずステップＳ６００では、情報処理装置２００から印刷装置３００に対して、帳票作成のための接続要求情報（最初にユーザＩＤとパスワード等）を送信する。ステップＳ６２０では、印刷装置３００は、情報処理装置２００から送信されてきた当該接続要求情報を受信する。尚、本実施形態では、図１に示すように、情報処理装置２００がＬＡＮ等のネットワークを介して印刷装置３００と接続されているが、印刷装置３００が複数存在するような場合は、上記接続要求情報に接続するプリンタの固有情報等を含めて特定するようにすればよい。なお、情報処理装置２００は印刷装置３００とケーブル等で直接接続することも可能である。
【００４２】
ステップＳ６２１では、印刷装置３００は上記接続要求情報を受信すると、情報処理装置２００に対してメニュー情報を送信し、折り返し情報処理装置２００から特定の帳票レイアウトを選択する旨の選択情報を受信すると、対応する帳票レイアウト情報を帳票テーブルや項目定義ファイルから読み出して、帳票レイアウト表示情報を情報処理装置２００に対して送信する。
【００４３】
ステップＳ６０１では、情報処理装置２００は、印刷装置３００から送信されてきた帳票レイアウト表示情報を受信してＲＡＭ２０３のワークエリアに記憶し、その帳票レイアウト表示情報に用いて図１０に示すような帳票レイアウトをモニタ上に表示する。そして、ユーザは、情報処理装置２００のモニタ上に表示された帳票レイアウトの編集操作を行なう。所定のタイミング（例えばボタンの押下やマウスのクリック等を検知したタイミング又は所定時間の経過）で処理をステップＳ６０２に進める。
【００４４】
ステップＳ６０２では、情報処理装置２００は、図６のステップＳ５０２と同様の操作判定を行い、判定結果（操作の有無と操作内容）をＲＡＭ２０３のワークエリアに記憶し、処理をステップＳ６０３に進める。ステップＳ６０３では、情報処理装置２００は、ＲＡＭ２０３のワークエリアを参照し操作が有った場合は処理をステップＳ６０４に進める。ステップＳ６０４では、情報処理装置２００は、操作内容である操作情報を印刷装置３００に送信する。
【００４５】
ステップＳ６２２では、印刷装置３００は、情報処理装置２００から送信されてきた当該操作情報を受信しＲＡＭ３０２のワークエリアに記憶し、ユーザによって行われた編集操作の種類を判別し、処理をステップＳ６２３に進める。
以下のステップＳ６２３乃至ステップＳ６３２は、実行主体が異なる点を除き、それぞれ図５のステップＳ５０３乃至ステップＳ５１２と同様なので説明を省略する。ステップＳ６３３では、印刷装置３００は更新されたレイアウト表示情報を情報処理装置２００に送信し、ステップＳ６０５では、情報処理装置２００はレイアウト表示情報を受信し、処理をステップＳ６０２に戻す。
【００４６】
又、ステップＳ６３４乃至ステップＳ６３６は、実行主体が異なる点を除き、それぞれ図５のステップＳ５１３乃至ステップＳ５１５と同様なので説明を省略する。ステップＳ６３７では、印刷装置３００は帳票レイアウトが保存された旨のメッセージを情報処理装置２００に送信し、ステップＳ６０６では、情報処理装置２００は受信したメッセージを表示して処理をステップＳ６０２に戻す。以上で図７の説明を終わる。
【００４７】
次に図８のフローチャート及び図１０及び図１１の画面を用いて複写禁止領域設定処理（図６のステップＳ５１０と図７のステップＳ６３０）の詳細処理を説明する。まずステップＳ７０１では、帳票レイアウト画面を再表示し、処理をステップＳ７０２に進める。
【００４８】
ステップＳ７０２では、図６のステップＳ５０２でＲＡＭ２０３のワークエリアに記憶した操作内容を読み出して又は図７のステップＳ６２２でＲＡＭ３０２のワークエリアに記憶した操作内容を読み出して、不図示の編集メニューで「個別複写禁止領域設定」を選択する操作か、又は「共通複写禁止領域設定」を選択する操作のいずれであるか、あるいはそれ以外の操作であるかを判定する。「共通複写禁止領域設定」を選択する操作であると判定した場合は、処理をステップＳ７０３に進め、「共通複写禁止領域設定」を選択する操作でないと判定した場合は、処理をステップＳ７０６に進める。
【００４９】
ステップＳ７０３では、図１１の共通複写禁止領域設定画面１００１の２ページ目以降の帳票レイアウト画面１００４の所望の位置に矩形領域１００５のＸＹ座標２組（矩形の左上と矩形の右下、又は矩形の左下と矩形の右上）がマウスの操作（例えば１点を左ボタンの押下で選択し、そのままドラッグ操作して、他の１点で左ボタンを離す操作）やキーボード操作（２点のＸＹ座標の直接入力操作）での指定後に矩形指定ボタン１００６の押下を検知したかを判定し、２組の座標の指定後に矩形指定ボタン１００６の押下を検知した場合は処理をステップＳ７０５に進める。２組の座標の指定後に矩形指定ボタン１００６の押下を検知した場合以外の場合は処理をステップＳ７０４に進める。
【００５０】
ステップＳ７０４では、指定キャンセルボタン１００７の押下を検知したかを判定し、検知した場合は、ＲＡＭ２０３のワークエリアに矩形領域１００５のＸＹ座標２組を既に記憶している場合は直前に記憶したＸＹ座標２組をクリアして処理をステップＳ７０１に戻す。指定キャンセルボタン１００７の押下を検知しなかった場合は、処理をステップＳ７０７に進める。ステップＳ７０７では、ページ移動ボタン（前ページボタン１０１２又は次ページボタン１０１３）の押下を検知したかを判定し、検知した場合には前ページ又は次ページの帳票レイアウトを外部メモリ２１１の各テーブルから読み込んで処理をステップＳ７０１に戻して対応する帳票レイアウトを表示する。ページ移動ボタンの押下を検知しなかった場合は処理をステップＳ７０８に進める。ステップＳ７０８では操作に応じたその他の処理を実行してから処理をステップＳ７０１に戻す。
【００５１】
他方、ステップＳ７０５では、ステップＳ７０３で指定された矩形領域１００５のＸＹ座標２組をＲＡＭ２０３のワークエリアに記憶し、処理をステップＳ７１８に進める。一方、ステップＳ７０２で共通複写禁止領域設定でないと判定された場合はステップＳ７０６に処理を進め、個別複写禁止領域設定が指定されたかを判定し、個別複写禁止領域設定が指定されたと判定した場合は処理をステップＳ７０９に進め、個別複写禁止領域設定が指定されなかったと判定した場合は処理をステップＳ７０７に戻す。
【００５２】
ステップＳ７０９では、図１０の画面のページ範囲の開始ページ入力欄９１４と終了ページ入力欄９１５の入力を可能とし（アクティべートし）、カーソルを開始ページ入力欄９１４に位置づけてから、処理をステップＳ７１０に進める。ステップＳ７１０では、ページ範囲が指定された場合に開始ページ入力欄９１４の入力値と終了ページ入力欄９１５の入力値とをＲＡＭ２０３のワークエリアに記憶して処理をステップＳ７１１に進める。ステップＳ７１１では、ＲＡＭ２０３のワークエリアに記憶した開始ページ入力欄９１４の入力値と終了ページ入力欄９１５の入力値とをチェックする。具体的には開始ページ入力欄９１４の入力値が終了ページ入力欄９１５の入力値に比べて小さい場合はＮＧ、開始ページ入力欄９１４の入力値が１の場合は帳票の１ページ目には複写禁止領域を設定できないのでＮＧと判定する。判定結果をＲＡＭ２０３のワークエリアに記憶して処理をステップＳ７１２に進める。ステップＳ７１２では、ＲＡＭ２０３のワークエリアに記憶した判定結果がＮＧの場合は「ページ範囲の入力が不適切です」とのメッセージを表示後、処理をステップＳ７０９に戻す。判定結果がＯＫの場合は処理をステップＳ７１３に進める。
【００５３】
ステップＳ７１３では、図１０の画面において複写領域設定用の帳票レイアウト画面９０４における矩形指定を可能にして（アクティべートして）、帳票レイアウト画面９０４の所望の位置に矩形領域９０５のＸＹ座標２組（矩形の左上と矩形の右下、又は矩形の左下と矩形の右上）がマウスの操作（例えば１点を左ボタンの押下で選択し、そのままドラッグ操作して、他の１点で左ボタンを離す操作）やキーボード操作（２点のＸＹ座標の直接入力操作）での指定後に矩形指定ボタン９０６の押下を検知したかを判定し、２組の座標の指定後に矩形指定ボタン９０６の押下を検知した場合又はその他の操作を検知した場合は処理をステップＳ７１４に進める。ステップＳ７１４では、２組の座標の指定後に矩形指定ボタン９０６の押下を検知した場合、処理をステップＳ７１７に進める。２組の座標の指定後に矩形指定ボタン９０６の押下を検知した場合以外の他の操作を検知した場合は処理をステップＳ７１５に進める。
【００５４】
ステップＳ７１５では、ページ移動ボタン（前ページボタン９１２又は次ページボタン９１３）の押下を検知したかを判定し、検知した場合には前ページ又は次ページの帳票レイアウトを外部メモリ２１１の各テーブルから読み込んで処理をステップＳ７０１に戻して対応する帳票レイアウトを表示する。ページ移動ボタンの押下を検知しなかった場合は処理をステップＳ７１６に進める。ステップＳ７１６では、指定キャンセルボタン９０７の押下を検知したかを判定し、検知した場合は、ＲＡＭ２０３のワークエリアに矩形領域９０５のＸＹ座標２組を既に記憶している場合は直前に記憶したＸＹ座標２組をクリアして処理をステップＳ７０１に戻す。指定キャンセルボタン９０７の押下を検知しなかった場合は、処理をステップＳ７０８に戻す。
【００５５】
一方、ステップＳ７１４で２組の座標の指定後に矩形指定ボタン９０６の押下を検知した場合、ステップＳ７１７では、ステップＳ７１４で指定された矩形領域１００５のＸＹ座標２組をＲＡＭ２０３のワークエリアに記憶し、処理をステップＳ７１８に進める。
【００５６】
ステップＳ７１８では、終了ボタン９１０又は終了ボタン１０１０の押下を検知し、終了ボタンの押下を検知した場合、処理をステップＳ７１９に進める。終了ボタンの押下を検知しなかった場合、処理をステップＳ７２０に進める。ステップＳ７１９では、ＲＡＭ２０３のワークエリアに記憶している複写禁止領域指定用の矩形領域９０５及びページ範囲の２つの値（開始ページと終了ページ）又は矩形領域１００５のＸＹ座標２組を複写禁止指定テーブルに記憶してこの処理を終了する。ステップＳ７２０では、保存ボタン９１１の押下又は保存ボタン１０１１の押下を検知したかを判定し、これら保存ボタンの押下を検知した場合は、処理をステップＳ７２１に進める。保存ボタンの押下を検知しなかった場合は、処理をステップＳ７２２に進める。
【００５７】
ステップＳ７２１では、ＲＡＭ２０３のワークエリアに記憶している複写禁止領域指定用の矩形領域９０５及びページ範囲の２つの値（開始ページと終了ページ）又は矩形領域１００５のＸＹ座標２組を複写禁止指定テーブルに記憶して処理をステップＳ７０１に戻す。ステップＳ７２２では、キャンセルボタン９０９の押下又はキャンセルボタン１００９の押下を検知したかを判定し、これらキャンセルボタンの押下を検知した場合は、この処理を終了する。これらキャンセルボタンの押下を検知しなかった場合は、ステップＳ７０１に戻す。なお、図１０の画面で印刷ボタン９１６の押下を検知するか、又は図１１の画面で印刷ボタン１０１６の押下を検知すると図９のフローチャートに示す印刷処理を開始する。印刷処理については後で詳細に説明する。以上で図８の複写禁止領域設定処理の詳細フローチャートの説明を終わる。
【００５８】
次に図１５及び図１６を参照しつつ本発明のノンカーボン複写用紙について説明する。図１５及び図１６は本発明のノンカーボン複写用紙の断面を示す模式図である。図１５のノンカーボン複写用紙では、印刷実行前には、帳票印刷用トナー１５０５及び減感剤入トナー１５０３はノンカーボン複写用紙には塗布されていない。図１６のノンカーボン複写用紙についても、印刷実行前には、帳票印刷用トナー１６０５及び減感剤入トナー１６０３はノンカーボン複写用紙には塗布されていない。図１５は３枚のノンカーボン紙（上用紙１５００、中用紙１５１０、下用紙１５２０）を使用して１つの帳票を作成するものであり、３枚の用紙はそれぞれ上面に顕色剤塗布層１５０１があり、下面にそれぞれ発色剤マイクロカプセル層１５０２が形成されている。図１５及び図１６の例では、３枚のノンカーボン紙を使用して１つの複写帳票を作成しているが、これに限らず、２枚でもよいし、４枚以上で１つの複写帳票を作成しても良い。後述する印刷処理により、罫線や見出しを印刷するために各用紙帳票フォームに応じた所定の位置に帳票印刷用トナー１５０５が塗布され、上用紙１５００以外の用紙（本実施例では中用紙１５１０又は下用紙１５２０）の複写禁止領域には減感剤入トナー１５０３が塗布される。
【００５９】
又図１６は３枚のノンカーボン紙（上用紙１６００、中用紙１６１０、下用紙１６２０）を使用して１つの帳票を作成するものであり、３枚の用紙はそれぞれ上面に発色剤塗布層１６０１があり、下面にそれぞれ顕色剤マイクロカプセル層１６０２が形成されている点が異なる（要するに図１５とは発色剤と顕色剤とが入替っている）。後述する印刷処理により、各用紙の所定の位置に帳票印刷用トナー１６０５が塗布され、上用紙１６００以外の用紙（本実施例では中用紙１６１０又は下用紙１６２０）の複写禁止領域には減感剤入トナー１６０３が塗布される。図１５に示すようなノンカーボン複写紙を用いて複写を行うには、１枚目のノンカーボン紙（上用紙１５００）の表面（すなわち、顕色剤塗布層１５０１の上面）にペン等を用いて記入が行われることによって、その圧力が裏面の発色剤マイクロカプセル１５０２に伝わり、発色剤マイクロカプセル１５０２が破れて発色剤が染み出して２枚目のノンカーボン紙（中用紙１５１０）の表面の顕色剤塗布層１５０１の顕色剤と接触して複写されることとなる。他方、減感剤トナー１５０３が塗布された領域では、ペン等の圧力により発色剤マイクロカプセルが破れても、減感剤トナー１５０３中の減感剤と反応することで顕色との反応が殆ど防止されるので複写を実質的に防止できる。減感剤トナー１５０３は好ましくはクリアトナーを用いる。クリアトナーはマイクロカプセルに減感剤を封入したものを用いても良いし、バインダーと減感剤を混合したトナーを用いても良い。
【００６０】
図１５に示すノンカーボン複写紙において、発色剤カプセルは例えば特開平０７−２５７０７２号公報に記載されているようなクリスタルバイオレットラクトンやベンゾイルロイコメチレンブルー等の電子供与性の発色剤をカプセルに封入したものを用いるがこれに限らない。顕色剤は例えば、油溶性フェーノール樹脂、酸性白土、芳香族カルボン酸の金属塩等を用紙に塗布して用いるがこれに限らない。マイクロカプセルタイプのトナーの壁材としては、従来感圧複写紙の発色剤含有マイクロカプセルの壁材として使用されている水不溶性、油不溶性のポリマーであれば特に制限されることなく使用できるが例えばポリウレタンウレア樹脂を用いる。マイクロカプセルに封入する減感剤としては例えばジエチレントリアミンブチレンオキサイド付加物を用いるがこれに限らない。他方、クリアトナーは例えばポリエステリ系のメインバインダーと減感剤としてジエチレントリアミンブチレンオキサイド付加物を混合させたものを用いるがこれに限らない。又クリアトナーではないが例えばスチレン−ブタジエン共重合体系ラテックスのような公知のバインダーと上記の減感剤に白色顔料（例えばチタニアとリトポンを等量混合した白色顔料）を混ぜたものを白色減感トナーとして複写禁止領域の塗布用に使用することも可能である。又、図１６に示すノンカーボン複写紙においては、顕色剤カプセルは上記の顕色剤を上記のマイクロカプセルの壁材を用いたマイクロカプセルに封入して用いる。
【００６１】
このように、本実施形態では、部分的に複写を禁止するような帳票フォームを作成するに当たって、特別なノンカーボン複写紙を使用する必要はなく、全面が複写可能な汎用のノンカーボン複写紙を利用することができ、印刷装置３００の給紙トレイ等に準備しておくノンカーボン紙も最低１種類あればよい。これにより、オンデマンドで所望のノンカーボン帳票を印刷することが可能となり、ノンカーボン紙の差し替えの手間や帳票毎にプレプリントした専用のノンカーボン帳票を製造する必要がなくなるので、無駄なコストの排除が可能となる。
【００６２】
次に図９のフローチャートを用いて印刷処理を説明する。図９は、情報処理装置２００と印刷装置３００による印刷処理を示すフローチャートである。図９のステップＳ８０１乃至ステップＳ８０６は情報処理装置２００のＣＰＵ２０１の制御の元で実行する処理であり、ステップＳ８２１乃至ステップＳ８２６は印刷装置３００のＣＰＵ３０１の制御の元で実行する処理である。帳票印刷プログラム、不図示のグラフィックエンジン、不図示のプリンタドライバ、および不図示のシステムスプーラは、外部メモリ２１１に保存されたファイルとして存在し、実行される場合にＯＳやそのモジュールを利用するモジュールによってＲＡＭ２０３にロードされ実行されるプログラムモジュールである。また、帳票印刷プログラムおよび不図示のプリンタドライバは、外部メモリ２１１のＦＤや不図示のＣＤ−ＲＯＭ、あるいは不図示のネットワークを経由して外部メモリ２１１のＨＤに追加することが可能となっている。
【００６３】
まずステップＳ８０１では、情報処理装置２００が帳票印刷プログラムにおいて印刷要求を検知する。具体的には図１０の画面で印刷ボタン９１６の押下を検知するか、又は図１１の画面で印刷ボタン１０１６の押下を検知すると処理をステップＳ８０２に進める。。帳票印刷プログラムにおいて帳票名や印刷条件（データの抽出条件等を指定して、「印刷ボタン」の押下を検知すると処理をステップＳ８０２に進める。ステップＳ８０２では、ステップＳ８０１帳票の帳票フォームを帳票テーブル及び不図示のフォームテーブル及び図１４の項目定義ファイルの各テーブルから指定された帳票に対応するフォームデータとデータの抽出条件に応じて不図示のテーブルから読み込んだ印刷文字データとをＲＡＭ２０３のワークエリアに記憶し、オペレーションシステムに引渡して、処理をステップＳ８０３に進める。
【００６４】
ステップＳ８０３では、オペレーションシステム帳票印刷プログラムはＲＡＭ２０３のワークエリアに記憶しているフォームデータと印刷文字データとを用いて１ページ分のＲＧＢのページデータ描画出力を生成してＲＡＭ２０３のワークエリアに記憶し、処理をステップＳ８０４に進める。受取ったステップＳ８０４では、受取ったフォームデータ中に減感トナーの塗布指定があるかをページ単位で判定し、現在のページに減感トナーの塗布指定があると判定した場合は処理をステップＳ８０５に進める。現在のページに減感トナーの塗布指定がないと判定した場合は、ＲＡＭ２０３のワークエリアに記憶している１ページ分のＲＧＢのページデータ描画出力の末尾にページ終了コマンドを付けて、処理をステップＳ８０６に進める。ステップＳ８０５では、ＲＡＭ２０３のワークエリアに記憶しているフォームデータを用いて減感トナープレーンのページデータ描画出力を生成して末尾にページ終了コマンドを付けてＲＡＭ２０３のワークエリアに記憶し、処理をステップＳ８０６に進める。と印刷文字データとを用いてＲＧＢのページデータ描画出力は（ＯＳにより定義されるＧＤＩ（Ｇｒａｐｈｉｃ
Ｄｅｖｉｃｅ Ｉｎｔｅｒｆａｃｅ）関数で構成される。他方、減感トナープレーンのページデータ描画出力はパススルーモード（ＤＤＩ関数に変換せずにそのままプリンタドライバが解釈可能なモード）で出力される。）を生成し、グラフィックエンジンに引渡し、処理をステップＳ８０４に進める。ステップ８０６では、最終ページの描画出力が完了したかを判定し、最終ページの描画出力が完了したと判定した場合は処理をステップＳ８０７に進め、他方最終ページの描画出力が完了していないと判定した場合は処理をステップＳ８０３に戻す。ステップＳ８０７４では、グラフィックエンジンは、ＲＡＭ２０３のワークエリアに記憶している受取った描画出力であるＧＤＩ関数をから、出力すべきプリンタドライバの解釈可能なＤＤＩ（Ｄｅｖｉｃｅ
Ｄｒｉｖｅｒ Ｉｎｔｅｒｆａｃｅ）関数に変換して、ＤＤＩ関数をＲＡＭ２０３のワークエリアに記憶し、処理をステップＳ８０８５に進める。ステップＳ８０８５では、プリンタドライバは、ＲＡＭ２０３のワークエリアに記憶しているＤＤＩ関数を用いて、印刷装置３００が認識可能な制御コマンド、例えばＰＤＬ（Ｐａｇｅ
ＤｅｓｃｒｉｐｔｉｏｎＬａｎｇｕａｇｅ）に変換してＲＡＭ２０３のワークエリアに記憶し、処理をステップＳ８０６に進める。具体的には、減感トナープレーンではない帳票データの描画プレーンに対応するＰＤＬは、ＲＧＢ描画コマンドであり、描画コマンド、Ｒ（濃度0-255）、Ｇ（濃度0-255）、Ｂ（濃度0-255））として出力される。一方、減感トナープレーンに対応するＰＤＬは、減感描画コマンドであり、減感指示、描画コマンド（範囲座標）、載り量（用紙の単位面積当たりの減感トナーの塗布量）指定として出力される。ステップＳ８０９６では、ＲＡＭ２０３のワークエリアに記憶しているＰＤＬをシステムスプーラを経て通信Ｉ／Ｆコントローラ２０８経由で印刷装置３００へ帳票の印刷データとして送信する。
【００６５】
ステップＳ８２１では、印刷装置３００は印刷データであるＰＤＬを受信し、ＣＰＵ３０１は印刷データであるＰＤＬをＲＡＭ３０２のワークエリアに記憶し、記憶した帳票の印刷データであるＰＤＬをＩＭＡＧＥＢＵＳＩ／Ｆ３２０経由でＲＩＰ３１０に送り、処理をステップＳ８２２に進める。ステップＳ８２２では、印刷装置３００のＣＰＵ３０１の制御の元でＲＩＰ３１０が受信したＰＤＬを１ページ分解釈して、ＰＤＬ中に減感トナーの塗布指定があるか（減感トナープレーンに対応するＰＤＬを含むか）（複写領域の禁止指定があるかを判定する。ＣＰＵ３０１は減感トナーの塗布指定がある場合は処理をステップＳ８２４に進め、減感トナーの塗布指定がない場合はＣＰＵ３０１は処理をステップＳ８２５に進める。
【００６６】
ステップ８２４では、印刷装置３００のＣＰＵ３０１の制御の元でＲＩＰ３１０がＩＭＡＧＥＢＵＳＩ／Ｆ３２０及びシステムバス３１５を介して受信したＰＤＬを解釈して、印刷禁止領域の減感トナーの塗布を含む帳票の印刷データをラスター・イメージに展開して、プリンタで出力させるためにビットマップを生成してプリンタＩ／Ｆ３１１経由でプリンタ３１２に出力し、プリンタ部３１２は１ページ分の印刷処理を実行し、ＣＰＵ３０１は１ページ分の印刷処理が終了した旨のメッセージをプリンタ部３１２から受信すると、処理をステップＳ８２６に進める。
【００６７】
ステップ８２５では、印刷装置３００のＲＩＰ３１０がＣＰＵ３０１の制御の元でＩＭＡＧＥＢＵＳＩ／Ｆ３２０及びシステムバス３１５を介して受信したＰＤＬを解釈して、帳票の印刷データをラスター・イメージに展開して、プリンタで出力させるためにビットマップを生成してプリンタＩ／Ｆ３１１経由でプリンタ部３１２に出力し、プリンタ部３１２は１ページ分の印刷処理を実行し、ＣＰＵ３０１は１ページ分の印刷処理が終了した旨のメッセージをプリンタ部３１２から受信すると、処理をステップＳ８２６に進める。
【００６８】
ステップ８２６では、ＣＰＵ３０１はＲＩＰ３１０及びプリンタ部３１２から受取ったメッセージを用いて最終ページの印刷が完了したかを判定し、最終ページの印刷が完了した場合は印刷処理を完了し、最終ページの印刷が完了していない場合は処理をステップＳ８２２に戻す。以上で図９のフローチャートの説明を終わる。
【００６９】
[その他の実施例]
本実施形態における図６乃至図９のフローチャート及び，図１１と図１２の画面に示す機能が外部からインストールされるプログラムによって、ホストコンピュータにより遂行されていてもよい。そして、その場合、ＣＤ−ＲＯＭやフラッシュメモリやＦＤ等の記録媒体により、あるいはネットワークを介して外部の記録媒体から、プログラムを含む情報群を出力装置に供給される場合でも本発明は適用されるものである。
【００７０】
以上のように、前述した実施形態の機能を実現するソフトウェアのプログラムコードを記録した記録媒体を、システムあるいは装置に供給し、そのシステムあるいは装置のコンピュータ（またはＣＰＵやＭＰＵ）が記録媒体に格納されたプログラムコードを読出し実行することによっても、本発明の目的が達成されることは言うまでもない。この場合、記録媒体から読み出されたプログラムコード自体が本発明の新規な機能を実現することになり、そのプログラムコードを記憶した記録媒体は本発明を構成することになる。
【００７１】
プログラムコードを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００７２】
また、コンピュータが読み出したプログラムコードを実行することにより、前述した実施形態の機能が実現されるだけでなく、そのプログラムコードの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００７３】
さらに、記録媒体から読み出されたプログラムコードが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００７４】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのソフトウェアによって表されるプログラムを格納した記録媒体を該システムあるいは装置に読み出すことによって、そのシステムあるいは装置が、本発明の効果を享受することが可能となる。
【００７５】
さらに、本発明を達成するためのソフトウェアによって表されるプログラムをネットワーク上のサーバ，データベース等から通信プログラムによりダウンロードして読み出すことによって、そのシステムあるいは装置が、本発明の効果を享受することが可能となる。
【図面の簡単な説明】
【００７６】
【図１】本発明の印刷システムのシステム構成を示す図である。
【図２】本発明の情報処理装置２００のハードウェア構成を示すブロック図である。
【図３】本発明の印刷装置３００のハードウェア構成を示すブロック図である。
【図４】本発明の印刷装置の印刷機構を示す模式図である。
【図５】本発明の印刷システムの主な機能を示すブロック図である。
【図６】本発明の印刷システムの第１の印刷設定処理を示すフローチャートである。
【図７】本発明の印刷システムの第２の印刷設定処理を示すフローチャートである。
【図８】本発明の印刷システムの減感トナー塗布領域設定処理の詳細を示すフローチャートである。
【図９】本発明の印刷処理を示すフローチャートである。
【図１０】本発明の印刷設定の画面（減感剤の個別塗布領域設定）を示す図である。
【図１１】本発明の印刷設定の画面（減感剤の共通塗布領域設定）を示す図である。
【図１２】本発明の印刷システムの帳票テーブルの項目及びデータ例を示す図である。
【図１３】本発明の印刷システムの複写禁止指定テーブルの項目及びデータ例を示す図である。
【図１４】本発明の印刷システムの項目定義ファイルの項目及びデータ例を示す図である。
【図１５】本発明のノンカーボン複写用紙の断面を示す模式図である。
【図１６】本発明のノンカーボン複写用紙の断面を示す模式図である。
【符号の説明】
【００７７】
２００  情報処理装置
２０１  ＣＰＵ
２０２  ＲＯＭ
２０３  ＲＡＭ
２０４  システムバス
２０５  入力コントローラ
２０６  ビデオコントローラ
２０７  メモリコントローラ
２０８  通信Ｉ／Ｆコントローラ
２０９  キーボード
２０１  ＣＲＴ
２１１  外部メモリ（ハードディスク等）
３００  印刷装置
３０１  ＣＰＵ
３０２  ＲＡＭ
３０３  ＲＯＭ
３０４  ハードディスク
３０５  ＮｅｔｗｏｒｋＩ／Ｆ
３０６  ＭＯＤＥＭ
３０７  操作部Ｉ／Ｆ
３０８  外部Ｉ／Ｆ
３０９  システムバス
３１０  ＲＩＰ
３１１  プリンタＩ／Ｆ
３１２  プリンタ
３１３  スキャナＩ／Ｆ
３１４  スキャナ部
３１５  システムバス
３１６  コントローラユニット
３１７  画像処理部
３１８  外部Ｉ／Ｆ
３１９  カードリーダ
３２０  ＩＭＡＧＥＢＵＳＩ／Ｆ
【図１】
2010156873.tif 000003
【図２】
2010156873.tif 000004
【図３】
2010156873.tif 000005
【図４】
2010156873.tif 000006
【図５】
2010156873.tif 000007
【図６】
2010156873.tif 000008
【図７】
2010156873.tif 000009
【図８】
2010156873.tif 000010
【図９】
2010156873.tif 000011
【図１０】
2010156873.tif 000012
【図１１】
2010156873.tif 000013
【図１２】
2010156873.tif 000014
【図１３】
2010156873.tif 000015
【図１４】
2010156873.tif 000016
【図１５】
2010156873.tif 000017
【図１６】
2010156873.tif 000018